(57)【特許請求の範囲】
【請求項１】
矩形枠体状に形成された外枠の開口前面に対して遊技盤を配設した中枠が組付けられると共に、各種効果音を出力する出力部と、該出力部の外周縁を囲繞する枠状のフレームと、該フレームおよび遊技機における取着部の間に位置して前記出力部を保護するカバー体とを有する効果音出力装置が配設された遊技機において、
前記カバー体は、前記出力部の前方に前後関係をもって重ね合わされて、該出力部に最も近接して配設される第１カバー部材と、該第１カバー部材の前側に配設される第２カバー部材とからなり、
前記第１カバー部材は、出力部と相似形状の枠体状に形成された外郭枠と、該外郭枠と相似形状に形成されて前後方向に所要間隔で離間し、後方に向かうにつれて外形寸法が小さくなる複数の規制部と、前記外郭枠に周方向に離間して設けられて後側に向かうにつれて中央部に変位して各規制部を連結固定する複数の連結部材と、前記外郭枠の後側端縁に外側に向かって延出するよう形成されて前記フレームの前面側に当接するフランジ部とを備え、前記フレームとフランジ部とが当接することで、前記効果音出力装置および第１カバー部材の前後位置が位置決め規制されると共に、各規制部間に、前後方向および前後方向に直交する方向に開口するスリット形状の第１通孔が形成され、
前記第２カバー部材は、前記第１カバー部材の外郭枠と対応する大きさの皿状に形成された平面部と、平面部の全周に亘り後方に向かって突設されて内側に前記第１カバー部材の外郭枠が臨む枠部とを備えて、該平面部に複数の円形の第２通孔が形成されて、
前記第１カバー部材および第２カバー部材を重ね合わせた際に、該第２カバー部材の第２通孔に通入した異物を、前記第１カバー部材で規制するよう構成され、
前記外枠を構成する下枠の前側には、前後に貫通する開口部が形成された遮蔽板が設けられて、該遮蔽板の開口部に、前記第２カバー部材の枠部を内側に臨ませ得ると共に該第２カバー部材の平面部を外部に露出させ得る通出孔を有する枠体状に形成された取付枠が装着され、
前記取付枠の前端縁には、内側に向かって延出する係合部が形成されて、該取付枠の内側に前記枠部を臨ませた際に、前記平面部の前面が係合部に当接して第２カバー部材が位置決めされるよう構成される
ことを特徴とする遊技機。
【請求項２】
前記第１カバー部材に形成される前記第１通孔において、前記第２カバー部材の平面部に対向する第１の開口幅は、該第２カバー部材に形成された前記第２通孔の直径より小さくなるよう設定され、該第１通孔において出力部に対向する第２の開口幅は、該第１の開口幅より大きくなるよう設定される請求項１記載の遊技機。
【請求項３】
前記第１カバー部材の外郭枠には、外周面の所要位置に係止片が突設されると共に、前記第２カバー部材の枠部には、該第１カバー部材の係止片と対応する位置に、該係止片と係脱可能に係合する係止孔が穿設され、
前記取付枠の内周面には、前記第１カバー部材の係止片と対応する位置に、該係止片と嵌合する係止凹部が形成され、
前記係止片を係止孔に挿通すると共に、該係止孔から突出した係止片を係止凹部に嵌合することで、前記第１カバー部材、第２カバー部材および取付枠が一体的に取扱い得るよう組付けられる請求項１または２記載の遊技機。
【請求項４】
前記第２カバー部材には、前記枠部の後側端縁に外側へ向かって延出し、前記第１カバー部材に形成された前記フランジ部の前面側に当接する第２フランジ部が形成され、
前記取付枠の後側端縁には、外側に向かって延出し、前記第２フランジ部の前面側および遮蔽板の裏面側に当接する第３フランジ部が形成されて、
前記フレームと第１カバー部材に形成されたフランジ部、第１カバー部材に形成されたフランジ部と第２フランジ部、第２フランジ部と第３フランジ部、第３フランジ部と遮蔽板との夫々が当接することで、前記効果音出力装置、第１カバー部材、第２カバー部材、取付枠、遮蔽板の夫々の前後位置が位置決めされる請求項１〜３の何れか一項に記載の遊技機。
【発明の詳細な説明】
【０００１】
【発明の属する技術分野】
本発明は、遊技機に関し、更に詳細には、遊技機の所定位置に配設されて遊技状態に応じて各種効果音を出力し得る出力部の前側に位置し、該出力部の損傷を防止するカバー体を備えた効果音出力装置を有する遊技機に関するものである。
【０００２】
【従来の技術】
例えば、パチンコ機やアレンジボール機等の遊技機は、機内にセットされる遊技盤上の遊技領域における所要位置に、数字や文字等の識別可能な図柄を変動表示し得る各種の図柄表示装置が配設され、遊技状態に対応して該図柄表示装置で図柄変動や種々の演出(リーチ演出や大当り演出等)が行なわれるよう構成されている。そして、前記遊技機の所定位置に配設される効果音出力装置から、前記図柄表示装置での演出に併せて各種効果音を出力することで、興趣ある遊技を行ない得るようになっている。
【０００３】
ここで、前記効果音出力装置は、出力部から出力される効果音を遊技者により鮮明に伝えられるように、該効果音出力装置ができる限り遊技機の前面近傍に位置するよう配設される。この場合、前記効果音出力装置の出力部をそのまま外部に露出させると、遊技者の悪戯等により出力部が損傷する畏れがある。そこで、各種効果音の通過を許容し得る多数の通孔を形成したカバー部材を、前記出力部の前側に配設したり、遊技機の所要位置に多数の通孔を穿設して、その後方に効果音出力装置を配設することにより、当該出力部を保護するよう構成している。
【０００４】
【発明が解決しようとする課題】
しかし、前記効果音出力装置の出力部は、１つのカバー部材等により保護されているだけであり、異物がカバー部材等の通孔に通入された場合には、直接出力部まで到達して損傷する畏れがある。なお、前記効果音出力装置の出力部を前記カバー部材等から大きく後方に離間して配設すれば、前記カバー部材等の通孔に通入した異物が出力部まで容易には到達しないので、該出力部の損傷を低減することができる。しかしこの場合には、前記効果音出力装置が遊技者から遠くなるため、充分な音量で効果音を出力した場合でも遊技者に鮮明に伝えられない問題を生ずる。また、前記効果音出力装置における出力部の前側に複数のカバー部材等を設けたり、該部材に形成する通孔を小さくすれば、出力部の損傷を防止し得るようになるが、この場合には有効な開口面積が減少するために出力部から出力される効果音の伝播が妨げられてしまい、遊技者が効果音を聞き取り難くなる畏れがある。
【０００５】
そこで、本願の出願人は、前記効果音出力装置の前側に複数のカバー部材を前後に重ねて配設して前記出力部の損傷を防止すると共に、開口面積を十分に確保して遊技者に効果音を鮮明に伝えることができる効果音出力装置のカバー体に関して出願を行なった。この出願に係るカバー体では、前後に重ねて配設される複数のカバー部材に形成される各通孔の形状を異ならせることで、出力部までの異物の侵入を防止すると共に、開口面積を充分に確保して、遊技者に効果音を鮮明に伝えることができるものである。
【０００６】
しかし、前記複数のカバー部材は、単に係止片と係止孔とを係合させることで連結固定するようになっている。このため、例えば遊技者の悪戯等により、異物でカバー部材を押すと前記係止片と係止孔との係合が外れてしまい、前記出力部に近接するカバー部材が該出力部側に移動して接触し、該出力部を損傷させる畏れがあり、更なる改良が強く求められている。
【０００７】
【発明の目的】
本発明は、前述した従来の技術に内在する前記欠点に鑑み、これを好適に解決するべく提案されたものであって、出力部から出力される各種効果音を遊技者に鮮明に伝えることができると共に、外部からの異物の通入を防止して、該出力部の損傷を防ぐことができる遊技機を提供することを目的とする。
【０００８】
【課題を解決するための手段】
前記課題を克服し、所期の目的を達成するため、本発明に係る遊技機は、
矩形枠体状に形成された外枠(A)の開口前面に対して遊技盤(J)を配設した中枠(B)が組付けられると共に、各種効果音を出力する出力部(26)と、該出力部(26)の外周縁を囲繞する枠状のフレーム(25a)と、該フレーム(25a)および遊技機(P)における取着部(22)の間に位置して前記出力部(26)を保護するカバー体(30)とを有する効果音出力装置(27)が配設された遊技機において、
前記カバー体(30)は、前記出力部(26)の前方に前後関係をもって重ね合わされて、該出力部(26)に最も近接して配設される第１カバー部材(31)と、該第１カバー部材(31)の前側に配設される第２カバー部材(33)とからなり、
前記第１カバー部材(31)は、出力部(26)と相似形状の枠体状に形成された外郭枠(32)と、該外郭枠(32)と相似形状に形成されて前後方向に所要間隔で離間し、後方に向かうにつれて外形寸法が小さくなる複数の規制部(31b)と、前記外郭枠(32)に周方向に離間して設けられて後側に向かうにつれて中央部に変位して各規制部(31b)を連結固定する複数の連結部材(31c)と、前記外郭枠(32)の後側端縁に外側に向かって延出するよう形成されて前記フレーム(25a)の前面側に当接するフランジ部(32b)とを備え、前記フレーム(25a)とフランジ部(32b)とが当接することで、前記効果音出力装置(27)および第１カバー部材(31)の前後位置が位置決め規制されると共に、各規制部(31b)間に、前後方向および前後方向に直交する方向に開口するスリット形状の第１通孔(31a)が形成されると共に、
前記第２カバー部材(33)は、前記第１カバー部材(31)の外郭枠(32)と対応する大きさの皿状に形成された平面部(34)と、平面部(34)の全周に亘り後方に向かって突設されて内側に前記第１カバー部材(31)の外郭枠(32)が臨む枠部(35)とを備えて、該平面部(34)に複数の円形の第２通孔(33a)が形成されて、
前記第１カバー部材(31)および第２カバー部材(33)を重ね合わせた際に、該第２カバー部材(33)の第２通孔(33a)に通入した異物を、前記第１カバー部材(31)で規制するよう構成され、
前記外枠(A)を構成する下枠(22)の前側には、前後に貫通する開口部(23a)が形成された遮蔽板(23)が設けられて、該遮蔽板(23)の開口部(23a)に、前記第２カバー部材(33)の枠部(35)を内側に臨ませ得る枠体状に形成された取付枠(37)が装着され、
前記取付枠(37)の前端縁には、内側に向かって延出する係合部(37a)が形成されて、該取付枠(37)の内側に前記枠部(35)を臨ませた際に、前記平面部(34)の前面が係合部(37a)に当接して第２カバー部材(33)が位置決めされるよう構成されることを特徴とする。
【０００９】
請求項２に係る遊技機は、前記第１カバー部材(31)に形成される前記第１通孔(31a)において、前記第２カバー部材(33)の平面部(34)に対向する第１の開口幅(Z)は、該第２カバー部材(33)に形成された前記第２通孔(33a)の直径より小さくなるよう設定され、該第１通孔(31a)において出力部(26)に対向する第２の開口幅(Y)は、該第１の開口幅(Z)より大きくなるよう設定されることを要旨とする。
【００１０】
請求項３に係る遊技機は、前記第１カバー部材(31)の外郭枠(32)には、外周面の所要位置に係止片(32a)が突設されると共に、前記第２カバー部材(33)の枠部(35)には、該第１カバー部材(31)の係止片(32a)と対応する位置に、該係止片(32a)と係脱可能に係合する係止孔(35a)が穿設され、
前記取付枠(37)の内周面には、前記第１カバー部材(31)の係止片(32a)と対応する位置に、該係止孔(35a)と嵌合する係止凹部(37c)が形成され、
前記係止片(32a)を係止孔(35a)に挿通すると共に、該係止孔(35a)から突出した係止片(32a)を係止凹部(37c)に嵌合することで、前記第１カバー部材(31)、第２カバー部材(33)および取付枠(37)が一体的に取扱い得るよう組付けられることを要旨とする。
【００１１】
請求項４に係る遊技機は、前記第２カバー部材(33)には、前記枠部(35)の後側端縁に外側へ向かって延出し、前記第１カバー部材(31)に形成された前記フランジ部(32b)の前面側に当接する第２フランジ部(35b)が形成され、
前記取付枠(37)の後側端縁には、外側に向かって延出し、前記第２フランジ部(35b)の前面側および遮蔽板(23)の裏面側に当接する第３フランジ部(37b)が形成されて、
前記フレーム(25a)と第１カバー部材(31)に形成されたフランジ部(32b)、第１カバー部材(31)に形成されたフランジ部(32b)と第２フランジ部(35b)、第２フランジ部(35b)と第３フランジ部(37b)、第３フランジ部(37b)と遮蔽板(23)との夫々が当接することで、前記効果音出力装置(27)、第１カバー部材(31)、第２カバー部材(33)、取付枠(37)、遮蔽板(23)の夫々の前後位置が位置決めされることを要旨とする。
【００１３】
【作用】
本発明は、前後関係をもって重ね合わされる第１および第２カバー部材により出力部を保護するカバー体が構成されると共に、出力部に最も近接して配設される第１カバー部材の外周縁にフランジ部を形成して、該カバー体を出力部を囲繞するフレームと遊技機における下枠の遮蔽板との間に位置させた際に、フランジ部が該フレームと当接するよう構成してある。このため、前記第１カバー部材を後方側に押した場合でも、該第１カバー部材が前記出力部側へ移動しないので、該出力部と第１カバー部材とが干渉して、当該出力部が損傷するのは防止される。また、前記第１および第２カバー部材の夫々に異なる穿設パターンで多数の通孔を設け、該第１および第２カバー部材を前後に重ね合わせた際に、前後関係で位置する多数の通孔を不規則に整列するよう構成することで、該第２カバー部材の通孔に通入した異物の出力部への到達を、該第１カバー部材で効果的に抑制することができる。
【００１４】
更に、前記第１カバー部材の外郭枠における所要位置に形成した係止片と、該第１カバー部材の前側に配設される第２カバー部材における係止片に対応する位置に形成した係止孔とを嵌合させることで、両カバー部材を係脱可能に係合するようにしたので、カバー体を単一の部材として取り扱うことができ、遊技機への取付け作業を簡略化し得る。そして、少なくとも前記第１カバー部材を、その略中央部に向かって凹んだ形状に形成することで、該第１カバー部材に形成する通孔の必要開口面積を確保でき、効果音の通過が阻害され難くなるので、遊技者に効果音を鮮明に伝え得る。
【００１５】
【発明の実施の形態】
次に、本発明に係る遊技機について好適な実施例を挙げて、添付図面を参照しながら、以下詳細に説明する。なお、本実施例では、一般的なパチンコ機に効果音出力装置を配設する場合について説明する。
【００１６】
本実施例の効果音出力装置が配設されるパチンコ機の概略構成について、図２を参照して説明する。本実施例のパチンコ機Ｐは、矩形枠体状に形成される外枠Ａの開口前面側に対し、前枠Ｂが連結支持手段および施錠手段を利用して着脱および開放可能に組付けられている。そして前枠Ｂには、横開き式のガラス扉Ｄを組付けた窓枠Ｃと、ガラス扉Ｄの下部において前枠Ｂに対して着脱および開放可能に組付けられる開閉セット板の前側に上球皿Ｅが組付けられると共に、該開閉セット板の後側に電動式の球送り装置(図示せず)等がセットされている。また、前記前枠Ｂの下部に下球皿Ｆおよび打球発射装置Ｈ等が設置されると共に、裏側に機構セット盤(図示せず)が装備され、更に該前枠Ｂの後側に設けた保持枠(図示せず)の正面内部に、所要の遊技領域Ｉを構成した遊技盤Ｊが着脱交換可能にセットされる。
【００１７】
前記遊技盤Ｊは、図２に示すように、略円形状に湾曲形成したレール１０により囲まれた遊技領域Ｉの前側において、縦央やや下部に配設されて球をスイッチで検出し得る始動入賞具１１と、この始動入賞具１１の直上方に配置されて、図柄の変動表示等を行なう図柄可変表示装置Ｋとが整合すると共に、内壁面をメッキ処理して開設された可視表示窓を形成した大型装飾部品Ｌと、風車とも称されて遊技球の流下方向を変向する電飾案内車１２および普通案内車１３と、始動入賞具１１の直下方に設置された大型電動式の入賞装置Ｍと、遊技状態に応じて照射パターンが変更制御される電飾装置１４等を備えている。
【００１８】
また、前記始動入賞具１１の直下方に設置された大型電動式の入賞装置Ｍは、図柄可変表示装置Ｋでの大当り成立時に対する特別遊技状態として、開成作動条件が付与される大型装置である。すなわち、図２に示されるように、特別入賞口１７に対設された扉状の開閉板１８が、後側の電磁ソレノイド(図示せず)に係る設定駆動条件に基づいて、通常の閉塞状態から開放状態に変化されるようになっている。なお、前記入賞装置Ｍの左右両側に普通入賞口１９,１９が設けてある。また、図２中の符号１６はアウト口を示し、遊技球を排出すべく機能する。
【００１９】
前記外枠Ａは、図３に示すように、平板状の一対の横枠２０,２０および上枠２１と、前側に遮蔽板２３が立設された下枠(取着部)２２とから構成されており、上枠２１に形成された支軸２１ａと下枠２２に形成された支軸２２ａとを介して前記前枠Ｂが開放可能に組付けられる。また、前記下枠２２における遮蔽板２３の左右両側部には、図１に示すように、開口部２３ａ,２３ａの夫々が穿設されている。そして、前記各開口部２３ａの後方に、前側から取付枠３７および効果音出力装置２７の順で配置されて、該効果音出力装置２５の後方に位置する固定部材２９をビス等により遮蔽板２３に取付けることで、これら各部品３７,２７が固定部材２９と遮蔽板２３との間に位置決め固定される。
【００２０】
ここで、前記効果音出力装置２７は、出力器２５とカバー体３０とを有している。そして、前記出力器２５としては、図８に示すように、その出力部２６の略中央部が後方に凹んだ形状の一般的なコーン型スピーカが採用され、その外周形状は略楕円に形成されている。また、前記出力器２５には、前記出力部２６を囲繞する枠状の取付ベース(フレーム)２５ａが設けられており、該取付ベース２５ａの前側に前記カバー体３０が当接するようになっている。そして、前記効果音出力装置２７は、パチンコ機裏側の所要位置に配設される音声制御手段(図示せず)から送信される音信号に基づいて、各種効果音を出力するよう構成される。
【００２１】
前記カバー体３０は、図１または図８に示すように、前記出力器２５における取付ベース２５ａおよび前記下枠２２における遮蔽板２３の間に位置して、該出力部２６を保護するよう構成される。ここで、前記カバー体３０は、前記出力器２５の出力部２６から出力される各種効果音の通過を許容し得る第１および第２通孔３１ａ,３３ａが夫々形成されて、前後関係を持って重ね合わされる第１カバー部材３１および第２カバー部材３３からなり、該第１カバー部材３１が出力器２５における出力部２６の前側に最も近接するように配設されている。
【００２２】
前記第１カバー部材３１は、前記効果音出力装置２７における出力部２６の外周形状より僅かに小さな相似形状の略楕円の枠体状に形成された外郭枠３２と、該外郭枠３２と相似形状の複数の規制部３１ｂとから構成されている。なお、前記規制部３１ｂは前記第１カバー部材３１の中心に向かうにつれて、外形寸法が順次小さくなるよう設定してある。また、前記外郭枠３２の近傍に位置する規制部３１ｂは、図６に示すように、該外郭枠３２の前側端縁と同一面上に設けられると共に、規制部３１ｂの夫々は、当該外郭枠３２の略中央部に向かうにつれて前後方向に所要間隔で離間するよう設けられている。すなわち、各規制部３１ｂ間にスリット形状の第１通孔３１ａが夫々形成されると共に、前記第１カバー部材３１は、その略中央部に向かうにつれて後側(出力部２６側)に凹んだ形状とされている。このように、前記第１カバー部材３１は、前記効果音出力装置２７の出力部２６と同様に、その略中央部に向かって凹形状に形成されており、該第１カバー部材３１を前記出力器２５に取付けた際に、出力部２６に各規制部３１ｂが近接するようになっている。
【００２３】
このため、図６に示すように、前記第１カバー部材３１に形成されるスリット形状の第１通孔３１ａを前方向から見た場合の開口幅Ｚを狭くしても、斜め方向に開口する開口幅Ｙは充分に広くなっている。なお、前記第１カバー部材３１を前方向から見た場合の第１通孔３１ａの開口幅Ｚは、前記第２カバー部材３３に開口させる後述の第２通孔３３ａの直径より小さく設定されている(図７(a),(b)参照)。また、前記各規制部３１ｂは、前記外郭枠３２の周方向に離間すると共に、後方に向かうにつれて略中央部に変位するよう設けられ、規制部としても機能する複数(実施例では８本)の連結部材３１ｃを介して該外郭枠３２に連結固定される。このように、前記第１カバー部材３１を前記出力器２５に取付けることで、該カバー部材３１に形成した各規制部３１ｂおよび連結部材３１ｃにより前記第１通孔３１ａへの異物の通入が阻止されて、前記出力部２６の損傷を防止するよう構成されている。
【００２４】
図５または図６に示すように、前記外郭枠３２の後側端縁には、該外郭枠３２の略全周に亘り外側に向かって延出する第１のフランジ部３２ｂが形成されている。そして、前記第１カバー部材３１を前記出力部２６を囲繞する取付ベース２５ａと下枠２２(遮蔽板２３)との間に位置させた際には、該第１フランジ部３２ｂの後面側が取付ベース２５ａに当接して、当該第１カバー部材３１が出力部２６側に移動するのを防止するようになっている。更に、前記第１カバー部材３１の外郭枠３２における外周面の上端および下端の略中央位置に係止片３２ａが夫々形成され、前記第２カバー部材３３に形成される後述の係止孔３５ａに係止片３２ａが嵌合するよう構成される
【００２５】
前記第１カバー部材３１の前側に重ね合わされる前記第２カバー部材３３は、図４または図７(a)に示すように、第１カバー部材３１の外郭枠３２と対応する大きさの皿状に形成される平面部３４と、該平面部３４の全周に亘り後方に向かって突設される枠部３５とから構成され、該平面部３４には略円形の複数の第２通孔３３ａが形成されている。従って、前記第１および第２カバー部材３１,３３を、前後に重ね合わせた際に、前後関係で位置する第１通孔３１ａと第２通孔３３ａは不規則に整列する(図７参照)。なお前述したように、前記第２カバー部材３３の第２通孔３３ａの直径は、前記第１カバー部材３１を前方向から見た場合の第１通孔３１ａの開口幅Ｚより大きくなるよう設定されている。また第２カバー部材３３の枠部３５には、その後方端から外方向に延出する第２フランジ部３５ｂが形成されている。そして、前記第２カバー部材３３を前記第１カバー部材３１に重ね合わせた際に、前記第２フランジ部３５ｂの後面側と前記第１フランジ部３２ｂの前面側とが当接する。更に、前記第２フランジ部３５ｂの前面側が、前記取付枠３７に形成される後述の第３フランジ部３７ｂに当接することで、前記第２カバー部材３３の位置決めがなされるようになっている。
【００２６】
図７または図８に示すように、前記第２カバー部材３３の枠部３５には、前記第１カバー部材３１と第２カバー部材３３とを整列させた際に、第１カバー部材３１の係止片３２ａ,３２ａと対応する位置に係止孔３５ａ,３５ａが夫々穿設されている。そして、前記各係止片３２ａの先端を対応する係止孔３５ａに挿入したもとで、前記第１カバー部材３１を後方から押圧することで、該第１カバー部材３１が全体的に弾性変形されて夫々の係止片３２ａが係止孔３５ａに嵌合し、両カバー部材３１,３３が着脱可能に組付けられることにより、前記カバー体３０が一体的に取扱い得るようになっている。また、前記第２カバー部材３３の各係止孔３５ａは、前記枠部３５を貫通するよう形成されており、前記第１カバー部材３１の各係止片３２ａを該係止孔３５ａに嵌合した際に、該枠部３５から各係止片３２ａが外側に突出するよう設定されている。
【００２７】
前記第２カバー部材３３の前側に配設される前記取付枠３７は、図４に示すように、第２カバー部材３３の前記平面部３４を外部に露出させ得る通出孔３７ｄを有する枠体状に形成されて、その前端部から内側に向かって平面部３４の前面が当接する係合部３７ａが延出すると共に、後端部からは外側に向かって延出する第３フランジ部３７ｂが形成されている。すなわち、前記第２カバー部材３３の平面部３４が取付枠３７の係合部３７ａに当接すると共に、該第２カバー部材３３における第２フランジ部３２ｂの前面側が、該取付枠３７における第３フランジ部３７ｂの後面側に当接することで、当該第２カバー部材３３の位置決めがなされる。そして、前記取付枠３７を前記遮蔽板２３の開口部２３ａに装着する際に、前記第３フランジ部３７ｂの前面側が遮蔽板２３に当接することで、取付枠３７の位置決めがなされるようになっている。
【００２８】
また、前記取付枠３７の内周面には、前記カバー体３０と取付枠３７とを整列させた際に、前記第１カバー部材３１の各係止片３２ａと対応する位置に係止凹部３７ｃが夫々形成されている。すなわち、前記第１カバー部材３１の係止片３２ａを前記第２カバー部材３３の係止孔３５ａに嵌合した状態で、該係止孔３５ａから突出した係止片３２ａの先端を対応する係止凹部３７ｃに当接させたもとで、前記カバー体３０を後方から押圧することで、第１カバー部材３１が全体的に弾性変形されて夫々の係止片３２ａが係止凹部３７ｃに嵌合して、カバー体３０が取付枠３７を着脱可能に組付けられ、両部材３０,３７を一体的に取扱い得るよう構成される。
【００２９】
【実施例の作用】
次に、前述のように構成された本実施例に係る遊技機の作用について説明する。前記効果音出力装置２７の出力部２６から出力される各種効果音は、該出力部２６の前側に配設された第１カバー部材３１および第２カバー部材３３とからなるカバー体３０の第１および第２通孔３１ａ,３３ａを通過して、外部(遊技者等)に伝えられるようになっている。また、前記出力部２６の前側は、カバー体３０で保護される。ここで、前記各第１および第２通孔３１ａ,３３ａは、夫々異なる穿設パターンで前記第１および第２カバー部材３１,３３に設けられ、両カバー部材３１,３３を前後に重ね合わせた際に、前後関係で位置する第１および第２通孔３１ａ,３３ａが不規則に整列するよう構成してあるから、前側に配設される前記第２カバー部材３３の第２通孔３３ａに通入された異物を、後側に配設した前記第１カバー部材３１で規制することが可能である。
【００３０】
すなわち、前記第１および第２カバー部材３１,３３の第１および第２通孔３１ａ,３３ａを、夫々スリット形状および略円形に形成して、該第１通孔３１ａの開口幅Ｚを第２カバー部材３３に形成される第２通孔３３ａの直径より小さく設定したので、前側の第２カバー部材３３の第２通孔３３ａを異物が通入した場合であっても、容易にこの第１カバー部材３１の第１通孔３１ａに通入することはなく、前記出力部２６の損傷を防止し得る。例えば、前記第２カバー部材３３の第２通孔３３ａの後方に、前記第１カバー部材３１の第１通孔３１ａが臨んでいる場合であっても、第１カバー部材３３における第１通孔３１ａの開口幅Ｚは、第２カバー部材３３における第２通孔３３ａの直径より小さく設定されているから、図７(b)に示すように、第２カバー部材３３の第２通孔３３ａに丸棒状の異物Ｓを通入したとしても、第１カバー部材３１におけるスリット形状の第１通孔３１ａへの通入を阻止できる。なお、前記両通孔３１ａ,３３ａが前後に重なっていなければ、第２カバー部材３３の第２通孔３３ａに通入された異物Ｓの出力部２６側への通入は、前記第１カバー部材３１の規制部３１ｂや連結固定部３１ｃで阻止される。
【００３１】
また、前記出力器２５の出力部２６側に配設される第１カバー部材３１は、前後方向に所要間隔で離間すると共に、後側に向かうにつれて外形寸法が小さくなる複数の規制部３１ｂを連結部材３１ｃを介して外郭枠３２に配設し、各規制部３１ｂ間に第１通孔３１ａを形成してある。すなわち、図６に示すように、前記スリット形状に開口された各第１通孔３１ａが前方向へ開口する開口幅Ｚを、この第１通孔３１ａに異物が通入しないよう狭く設定しても、第１通孔３１ａの斜め方向へ開口する開口幅Ｙは充分な広さとなり、第１通孔３１ａにおける有効な開口面積を大きく確保することができるので、効果音の通過は阻害され難くなって、遊技者に効果音を鮮明に伝えることができる。更に、前記第１カバー部材３１の各規制部３１ｂは、その略中央部に向かって凹形状に形成されている出力部２６の近傍に位置しているので、前記第１カバー部材３１を取付けた状態における前記効果音出力装置２７の奥行き寸法がコンパクトになるため、出力部２６を遊技者に近接して配設し得、鮮明な効果音を伝えることが可能である。
【００３２】
そして、前記第１カバー部材３１における外郭枠３２の上端および下端の所要位置に形成した係止片３２ａ,３２ａを、前記第２カバー部材３３の枠部３５に形成した係止孔３５ａ,３５ａに嵌合させることで、両カバー部材３１,３３を着脱可能に組付けるようにしたので、単一の部材としてカバー体３０を取り扱うことが可能になり、組付け作業を簡略化することができる。
【００３３】
更に、前記第１カバー部材３１における外郭枠３２の略全周に第１フランジ部３２ｂを形成してある。これにより、前記第１カバー部材３１(カバー体３０)を、前記取付ベース２５ａと下枠２２の遮蔽板２３との間に位置させた際に、前記第１フランジ部３２ｂが取付ベース２５ａに当接して、該第１カバー部材３１が前記出力部２６側に移動するのは規制される。このため、前記第２カバー部材３３の第２通孔３３ａに通入した異物Ｓにより前記第１カバー部材３１が後側に押圧されて、前記係止片３２ａと係止孔３５ａとの係合が外れた場合でも、該第１カバー部材３１が前記出力部２６側に移動して接触することはなく、該出力部２６の損傷を効果的に防止することができる。また、複数の連結部材３１ｃにより前記各規制部３１ｂを連結しているので、前記第１カバー部材３１の構造的な強度が向上し、異物Ｓで第１カバー部材３１を押圧した場合の該第１カバー部材３１の歪み等が防止される。更に、第１カバー部材３１のフランジ部３２ｂは、前記第２カバー部材３３および取付枠３７を介した状態で、前記取付ベース２５ａと下枠２２(遮蔽板２３)とで挾持されるので、より強固に固定できると共に、ネジ付け等の新たな作業負担を招くこともない。
【００３４】
前記第１および第２カバー部材３１,３３を組付けた際に、第２カバー部材３３の係止孔３５ａから突出する前記係止片３２ａを、取付枠３７に形成した係止凹部３７ｃに嵌合させることで、同様にカバー体３０と取付枠３７とを単一部材として取り扱うことも可能となり、一層組付け作業を簡略化できるので、作業効率を向上させることが可能である。また、前記カバー体３０および取付枠３７を夫々別部材で構成したので、各部材が損傷した場合にはその損傷した部材のみを交換することができ、コストや廃棄物等を低減させることができる。なお、遊技機ごとに異なる形状やデザインの取付枠３７を採用することで、意匠性に変化を付与することもできる。
【００３５】
なお、本実施例では、効果音出力装置の出力部を保護し得るカバー体を、２つのカバー部材から構成するようにしたが、３つ以上のカバー部材で構成することも可能である。この場合も、各カバー部材に異なる穿設パターンで通孔を夫々形成して、前後関係で位置する通孔を不規則に整列させることで、外部からの異物の通入を防止して、前記出力部の損傷を防ぐことができる。なお、３つ以上のカバー部材でカバー体を構成する場合には、その開口面積が必要以上に小さくならないよう注意が必要である。そして、夫々のカバー部材およびその通孔の形状は、実施例のものに限られるものではなく、三角形、四角形、星型その他の形状を採用し得る。例えば、後側に配設されるカバー部材の外郭枠を略円形に形成し、その略中央部に向かって凹形状に形成された規制部に所要径の通孔を複数形成し、前側に配設されるカバー部材を該外郭枠と対応する大きさの略円形に形成して、その平面部に矩形の通孔を形成することも可能である。このとき、前記後側のカバー部材に形成される通孔を、前側のカバー部材に形成される通孔より小さく設定することで、外部からの異物の通入を防止して、前記出力部の損傷を防ぐことができる。
【００３６】
また、前記第１カバー部材における外郭枠の略全周に亘ってフランジ部を形成するようにしたが、一部のみに形成するようにしても、該フランジ部が出力装置の取付ベースに当接して、該第１カバー部材の出力部側への移動を防止することができる。更に、前記第１カバー部材の外郭枠の上端および下端に係止片を形成したが、該係止片を形成する位置および数は所要に応じて設定でき、第２カバー部材におけるこの係止片と対応する位置に係止孔を形成するようにすればよい。また、実施例では、第１カバー部材に形成した係止片を第２カバー部材に形成した係止孔に嵌合させて固定するようにしたが、これに限らず、ネジ等による螺着や接着剤による接着、その他従来公知の各種手段を使用し得るが、着脱可能に取着する手段が好適である。
【００３７】
実施例では、遊技機に形成した開口部に取付枠を配設し、該取付枠を介して効果音出力装置を遊技機に配設するようにしたが、該出力装置のカバ−体を該開口部に直接配設することもできる。この場合には、部品点数が減少するので、コストを削減できる。本実施例では、パチンコ機に配設される効果音出力装置の出力部をカバー体で保護する場合を示したが、これに限らず、スロットマシン機やアレンジボール機等の種々の遊技機に配設される効果音出力装置における出力部の損傷を防止する目的として採用することもできる。なお、効果音出力装置の配設位置は、遊技機の下方位置に限定されるものでなく、遊技機のその他の箇所に配設されているものであってもよい。
【００３８】
【発明の効果】
以上説明した如く、本発明に係る遊技機は、前後関係をもって重ね合わされる第１および第２カバー部材により出力部を保護するカバー体が構成されると共に、出力部に最も近接して配設される第１カバー部材の外周縁にフランジ部を形成して、該カバー体を出力部を囲繞するフレームと遊技機の取着部との間に位置させた際に、このフランジ部が該フレームと当接するよう構成してある。このため、前記第１カバー部材を後方側に押した場合でも、該第１カバー部材が前記出力部側へ移動しないので、該出力部と第１カバー部材とが干渉して当該出力部が損傷するのを防止できる。
【００３９】
また、前記第１および第２カバー部材の夫々に異なる穿設パターンで多数の通孔を設け、該第１および第２カバー部材を前後に重ね合わせた際に、前後関係で位置する多数の通孔を不規則に整列するよう構成すれば、該第２カバー部材の通孔に通入した異物の出力部への到達を、該第１カバー部材で好適に規制することができる。
【００４０】
更に、前記第１カバー部材の外郭枠における所要位置に形成した係止片と、該第１カバー部材の前側に配設される第２カバー部材における係止片に対応する位置に形成した係止孔とを嵌合させることで、両カバー部材を着脱可能に組付けるようにしたので、カバー体を単一の部材として取り扱うことが可能となり、遊技機への取付け作業を簡略化できる。そして、少なくとも前記第１カバー部材を、その略中央部に向かって凹んだ形状に形成することで、該第１カバー部材に形成する通孔の必要開口面積を確保でき、効果音の通過が阻害され難くなるので、遊技者に効果音を鮮明に伝え得る。
【図面の簡単な説明】
【図１】本発明の実施例に係るパチンコ機の下枠を背面から見た状態を示す斜視図である。
【図２】実施例に係るパチンコ機を示す正面図である。
【図３】実施例に係るパチンコ機の外枠を示す正面図である。
【図４】実施例に係るカバー体と取付枠を分解した状態を背面から見た斜視図である。
【図５】実施例に係る第１カバー部材の正面図である。
【図６】実施例に係る第１カバー部材の縦断側面図である。
【図７】  (a)は実施例に係る第１カバー部材と第２カバー部材とを組付けた状態を示す正面図であり、(b)は第１カバー部材の通孔と第２カバー部材の通孔との関係を拡大して示す概略図である。
【図８】実施例に係る効果音出力装置および取付枠を分解した状態で示す側面図である。
【符号の説明】
２２  下枠
２３  遮蔽板
２３ａ  開口部
２５ａ  取付ベース(フレーム)
２６  出力部
２７  効果音出力装置
２９  固定部材
３０  カバー体
３１  第１カバー部材
３１ａ  第１通孔(通孔)
３１ｂ  規制部
３１ｃ  連結部材
３２  外郭枠
３２ａ  係止片
３２ｂ  第１フランジ部(フランジ部)
３３  第２カバー部材
３３ａ  第２通孔(通孔)
３４  平面部
３５  枠部
３５ａ  係止孔
３５ｂ  第２フランジ部
３７  取付枠
３７ａ  係合部
３７ｂ  第３フランジ部
３７ｃ  係止凹部
Ｐ  パチンコ機
Ａ  外枠
Ｂ  中枠
Ｊ  遊技盤
【図１】
0004150890.tif 000002
【図２】
0004150890.tif 000003
【図３】
0004150890.tif 000004
【図４】
0004150890.tif 000005
【図５】
0004150890.tif 000006
【図６】
0004150890.tif 000007
【図７】
0004150890.tif 000008
【図８】
0004150890.tif 000009